(57)【要約】【課題】ビデオデータに対応付けられている資料画像データの内から、容易に所望のものを検索できるようにする。【解決手段】ビデオデータ５に対応付けられている資料画像データに対して、当該資料画像に含まれている文字列を抽出し、ユーザインタフェースのキーワード入力部１４、４４に入力されたキーワードと抽出した文字列３０ａとの照合を行って、該当する資料画像３０のデータを検索する。なお、検索された資料画像３０はその重要度に応じてサイズが変更されて画面表示される。【選択図】　図８
2004112379.tif 000002
【特許請求の範囲】
【請求項１】
ビデオデータに対応付けた静止画像データを検索する画像検索システムであって、
キーワード入力を受け付ける入力手段と、
静止画象データに含まれる文字列を抽出する抽出手段と、
抽出された文字列と入力されたキーワードとを照合して該当する静止画像データを検索する検索手段と、を備えたことを特徴とする画像検索システム。
【請求項２】
請求項１に記載の画像検索システムにおいて、
検索結果としての静止画像データを一覧として画像表示する表示手段と、
静止画像データの画像サイズを所定の基準に従って変更して前記表示手段により表示させるサイズ変更手段と、を備えたことを特徴とする画像検索システム。
【請求項３】
請求項１に記載の画像検索システムにおいて、
検索結果としての静止画像データを画像表示する表示手段と、
画像表示された静止画像を選択するユーザ操作入力に応じて、当該静止画像データを対応付けた再生時間位置からビデオデータを再生して画像表示するビデオ表示手段と、を備えたことを特徴とする画像検索システム。
【請求項４】
ビデオデータに対応付けた静止画像データを検索する画像検索方法であって、
静止画象データに含まれる文字列を抽出し、入力されたキーワードと抽出された文字列とを照合して、該当する静止画像データを特定することを特徴とする画像検索方法。
【請求項５】
請求項４に記載の画像検索方法において、
検索結果としての静止画像データを画像表示し、画像表示された静止画像を選択するユーザ操作入力に応じて当該静止画像データを対応付けた再生時間位置からビデオデータを再生して画像表示することを特徴とする画像検索方法。
【請求項６】
ビデオデータに対応付けた静止画像データの検索処理をコンピュータにより実現するプログラムであって、
キーワード入力を受け付ける機能と、
静止画象データに含まれる文字列を抽出する機能と、
抽出された文字列と入力されたキーワードとを照合して該当する静止画像データを検索する機能と、をコンピュータに実現することを特徴とするプログラム。
【請求項７】
請求項６に記載のプログラムにおいて、
検索結果としての静止画像データを一覧として画像表示する機能と、
静止画像データの画像サイズを所定の基準に従って変更して前記表示機能により表示させる機能と、をコンピュータに実現することを特徴とするプログラム。
【請求項８】
請求項６に記載のプログラムにおいて、
検索結果としての静止画像データを画像表示する機能と、
画像表示された静止画像を選択するユーザ操作入力に応じて、当該静止画像データを対応付けた再生時間位置からビデオデータを再生して画像表示する機能と、をコンピュータに実現することを特徴とするプログラム。
【発明の詳細な説明】
【０００１】
【発明の属する技術分野】
本発明は、ビデオデータ（動画データ）に対応付けられた静止画像データの検索処理を行うシステムに関する。
【０００２】
【従来の技術】
パーソナルコンピュータやモバイル端末などの閲覧クライアントに対して種々なコンテンツを配信するサービスが、特定領域或いは広域のサービスとして広く実施されている。
このようなコンテンツ配信を行うシステムには種々な態様があるが、ネットワーク通信技術の発達により、ビデオデータを含むコンテンツデータも配信されている。
【０００３】
コンテンツ配信システムの概要は、配信サーバに種々なコンテンツデータを登録しておき、閲覧クライアントが配信サーバにアクセスして所望のコンテンツを選択して要求すると、これに応えて、配信サーバが該当するコンテンツデータを閲覧クライアントに提供すると言うものである。
【０００４】
ここで、ビデオデータを配信するシステムでは、コンテンツの選択を容易化するために、ビデオデータに加えて、コンテンツのタイトル、コンテンツを選択するためのキーワード、コンテンツを選択するための分類情報、コンテンツの作者情報などを含むコンテンツレコード（メタデータ）がビデオデータに対応付けられており、閲覧クライアントを利用してコンテンツを視聴するユーザの便利を図っている。
【０００５】
【発明が解決しようとする課題】
配信されるビデオデータは、映画などの娯楽を目的としたものから、教育、講演、プレゼンテーションなどといった多種多様なものに拡張されてきている。特に、資料を用いて行われる講義、講演、プレゼンテーションなどといったもののビデオについては、資料の静止画像もビデオ画像とともに閲覧クライアントに提供して、これら画像を同期再生することが提供情報の充実を図るなどのために求められている。
【０００６】
ここで、これを実現した場合に、ビデオデータにどのような内容の資料などの静止画像が対応付けられているかが判れば、多くのビデオデータの内から所望のビデオデータを探し出すに便利である。また、ビデオデータに対応付けられている多くの静止画像の内から所望の静止画像データを探し出すのに便利であり、更には、静止画像データが対応付けられているビデオデータ中の再生時間位置から当該ビデオデータを頭出しして再生することもできて便利である。
しかしながら、画像の検索はユーザが目で見て探し出すと言った方法に頼っているため、数多くのビデオデータやこれに対応付けられた静止画象を扱う場合には、検索作業は極めて煩雑であった。
【０００７】
本発明は、上記従来の事情に鑑みなされたもので、所望の静止画像やビデオデータの検索を容易に行うことができるようにすることを目的としている。
また、本発明は、ビデオデータ中の所望の場面を容易に頭出しできるようにすることを目的としている。
なお、本発明の更なる目的は以下の説明において明らかなところである。
【０００８】
【課題を解決するための手段】
本発明は、画像検索システム、画像検索方法、これらをコンピュータによって実現するためのプログラムなどの種々な態様で捉えられ、いずれにあっても、ビデオデータに対応付けされた静止画像データをキーワード検索と言う容易な手法によって検索することを実現する。
【０００９】
本発明に係る画像検索システムでは、入力手段によりキーワード入力を受け付け、また、抽出手段により静止画象データに含まれる文字列を抽出して、抽出された文字列と入力されたキーワードとを検索手段により照合して該当する静止画像データを検索する。
この文字列の抽出は公知の方法で行うことができ、例えば、静止画像データが文字列のテキストデータを伴う形式である場合には当該テキストデータを抽出すればよく、また、静止画像データがイメージデータでる場合には文字認識処理により文字列データを抽出すればよい。
【００１０】
また、本発明に係る画像検索システムでは、検索結果としての静止画像データを一覧として画像表示するようにし、この表示の際に、静止画像データの画像サイズを所定の基準に従って変更して表示させるようにしてもよく、このようにすれば、当該基準をもって、視覚によっても静止画像データの選別を容易に行うことができる。この基準としては、静止画像データが対応付けられているビデオ中の再生時間の長さ（すなわち、場面の長さ）、予め設定した文字列の重要度、静止画像に付加して表示する矢印や注釈などの付加画像データの多さなどが採用され、当該基準に従ったものはより大きなサイズで表示することが実現される。
【００１１】
また、本発明に係る画像検索システムでは、検索結果としての静止画像データを画像表示して、画像表示された静止画像を選択するユーザ操作入力に応じて、当該静止画像データを対応付けた再生時間位置からビデオデータを再生して画像表示するようにしてもよく、このようにすれば、静止画像の検索に基づいて、所望の場面からビデオデータを再生すると言った頭出しを容易に行うことができる。
【００１２】
上記のシステムは、それぞれの機能を専用装置として構成してもよいが、本発明に係るプログラムをコンピュータによって実行することにより構成することができる。
また、本発明に係る方法は、例えば上記のシステムによって実施される。
【００１３】
【発明の実施の形態】
本発明を実施例に基づいて具体的に説明する。
図１には本発明を適用したコンテンツ配信システムを示してあり、当該システムはインターネットＮを介して接続される配信サーバ１、閲覧クライアント２、登録クライアント３を備えて構成される。なお、本発明はこの内の主に閲覧クライアント２に適用される。
これら配信サーバ１、閲覧クライアント２、登録クライアント２はそれぞれコンピュータハードウエアにより本発明に係るプログラムを実行することにより所定の処理を行うように構成されており、特に、閲覧クライアント２はコンテンツ閲覧をするためのブラウザ機能を有したパーソナルコンピュータにより構成されている。
【００１４】
配信サーバ１は、ビデオデータと、当該ビデオデータに対応付けたスライド画像データや資料画像データと言った静止画像データ、検索用の音声インデックスデータ、コンテンツタイトルなどのコンテンツレコード（メタデータ）を各コンテンツ毎のデータとして記憶保持しており、閲覧クライアント２からの要求に応じて該当するコンテンツデータを配信提供する。
【００１５】
図２（ａ）にはビデオデータ５とスライド画像データ６との対応付け関係を示し、図２（ｂ）にはビデオデータ６と資料画像データ７との対応付け関係を示してある。
なお、これらスライド画像データ６と資料画像データ７とはいずれか一方だけをビデオデータ５に付随させるようにしてもよく、本明細書の説明では、特に指摘する場合を除いて、スライド画像データ６と資料画像データ７との両方又はいずれか一方を画像データと記述することもある。
ここで、本例では、主に資料画像データのキーワード検索処理を本発明に係るものとして説明するが、スライド画像データについても同様なキーワード検索を行うようにしてもよい。
【００１６】
登録されるビデオデータ５はＭＰＥＧなどの形式から配信用のストリーム形式に変換された動画像データであり、スライド画像データ６（Ａ〜Ｋ）は配置登録前の前処理によってビデオデータ５中から自動処理又はオペレータ操作によって抽出された静止画像データである。これらスライド画像データ６はビデオ中の或る時間幅を持った場面を代表的に表すシーンの画像であり、ビデオデータ５の該当する場面に対応付けられる。
なお、スライド画像データは、主に閲覧ユーザが所望のコンテンツを探したり又はコンテンツビデオ中の所望の場面を探したりする視認による検索用として提示される。
【００１７】
資料画像データ７（ａ〜ｎ）は配置登録前の登録クライアント３による前処理でオペレータがビデオデータ５を再生してビデオ画像を見ながら対応付け操作し、ビデオデータ５の任意の再生時間位置に対応付けた静止画像データであり、例えばプレゼンテーションや講義などを写したビデオデータ５に対して、当該プレゼンテーションにおいて使用された資料を写した静止画像データである。
資料画像データ７は次の資料画像データが表示されるべき時間位置になるまで画面表示されるように対応付けられ、この結果、資料画像データ７は資料が用いられたビデオ中の或る時間幅を持った場面に対応付けられて、閲覧ユーザに対してビデオデータに同期して該当する資料画像データを再生表示できるようになっている。
【００１８】
上記のビデオデータ５や静止画像データ６、７と言ったコンテンツデータは、後述するように、ブラウザを使用する閲覧クライアント２からの要求に応答して配信クライアント１が配信処理を行い、要求元の閲覧クライアント２に提供されてその表示装置に画面表示される。
【００１９】
図３には、配信サーバ１に所定のＵＲＬでアクセスした閲覧クライアント２にデフォルト画面として表示されるコンテンツ一覧を示してある。このコンテンツ一覧画面は検索インタフェース１０と、コンテンツ毎の複数のコンテンツインタフェース２０とを含んでおり、閲覧ユーザがキー入力やポインティング入力で検索インタフェース１０に指示を入力することによって登録されているコンテンツの内から所望のコンテンツを検索することができ、また、閲覧ユーザがポインティング入力でコンテンツインタフェース２０に指示を入力することによって当該コンテンツデータの内容を画面に表示して閲覧することができる。
【００２０】
検索インタフェース１０は各コンテンツデータに対応付けて配信サーバ１に登録されたメタデータや音声インデックスデータを利用した検索、更には、資料画像データ７に含まれる文字列を利用した検索を行うものであり、カテゴリ（分類）を選択入力するためのドロップダウンウインドウ部１１、所望のコンテンツデータを検索するためのキーワード入力部１２、これらのその入力に基づいて配信サーバ１に検索処理及び検索結果の提供を要求するため指示を入力する検索ボタン１３、更には、資料画像中に含まれる文字列を利用して所望のコンテンツデータを検索するためのキーワード入力部１４、その入力に基づいて閲覧クライアント２自身で検索処理を開始する指示を入力する検索ボタン１５が設けられている。
【００２１】
なお、コンテンツデータに対応付けて配信サーバ１に登録されている音声インデックスデータは当該コンテンツ中に含まれる音声波形データであり、配信サーバ１がキーワード入力部１４から入力されたキーワードを音声波形データに変換して、これら波形データを照合することにより入力キーワードを含むコンテンツを検索する。
【００２２】
コンテンツインタフェース２０は、前記メタデータに基づいたコンテンツ番号２１、コンテンツのタイトル２２、コンテンツの作者２３、コンテンツの著作者２４、コンテンツの分類２５を表示し、また、コンテンツビデオのタイムスケール２６、当該コンテンツビデオのスライド画像２７を表示する。なお、タイムスケール２６を提示する機能はプラグ２６ａをユーザ操作で移動させることにより、これに連動して、スライド画像２７として表示されるスライド画像データ（Ａ〜Ｋ）６を変更させることができ、ビデオデータの再生時間位置に応じたスライド画像を再生することができるようになっている。
【００２３】
また、コンテンツインタフェース２０には開始ボタン２８と詳細ボタン２９とが設けられており、開始ボタン２８をユーザがポインティング指示することによって当該コンテンツビデオデータを配信サーバ１から取得して閲覧クライアント２の画面に再生表示させることができ、また、詳細ボタン２９ユーザがポインティング指示することによって後述するように当該コンテンツのスライド画像や資料画像のデータを配信サーバ１から一括取得して閲覧クライアント２の画面に一覧表示させることができる。
【００２４】
このように閲覧クライアント２に、ビデオデータ５と、それに対応付けられた全ての静止画像データを提供する場合には、一覧表示されているスライド画像２７や資料画像３０をユーザがポインティング指示することによって、ビデオデータを該当する場面（すなわち、再生時間位置）から再生して画面表示させる機能も閲覧クライアント２に備えられている。
【００２５】
ここで、資料画面データが対応付け格納されているコンテンツについては当該資料画像に含まれる文字列に基づくキーワード検索が可能であり、この検索結果としてのコンテンツインタフェース２０は図４に示すような態様となる。
図３のものとほぼ同様であるが、資料画像３０中に含まれている文字列と入力キーワードとの照合により、該当する資料画像３０の一覧も表示され、表示されている資料画像３０をユーザがポインティング指示することによって、コンテンツビデオデータを該当する場面から同期再生して画面表示させる機能も閲覧クライアント２に備えられている。
【００２６】
上記のユーザ指示によって配信サーバ１にアクセスして所望のコンテンツデータが閲覧クライアント２へ配信されるが、この配信されたコンテンツデータは閲覧クライアント２で図５に示すようなコンテンツ閲覧画面として表示される。このコンテンツ閲覧画面は、再生されたビデオ画像を表示するビデオ画面３３及び再生や停止などの操作ボタンが配置されたビデオ操作部３４を有したビデオプレイヤ部３５と、コマ送り操作ボタンが配置された操作部３６を有した静止画像データを再生表示する画像表示部３７、コンテンツデータに関するプログラム記述などを表示するノート表示画面部３８を含んでいる。
したがって、閲覧ユーザがポインティング入力で操作することにより、ビデオ画面３３にビデオ画像を再生させ、画像表示部３７にビデオデータの再生時間位置に対応した資料画像（又は、スライド画像）を同期表示させることができる。
【００２７】
上記詳細ボタン２９の押下によって配信サーバ１にアクセスして所望のコンテンツの画像データが閲覧クライアント２へ一括配信されるが、この配信された画像データは閲覧クライアント２で図６又は図７に示すような詳細表示画面として表示される。
図６はスライド画像データ６の一覧画像表示を行った状態を示しており、レコードデータ表示部４０には当該コンテンツのメタデータの諸項目が表示され、スライド画像表示部４１には当該コンテンツのビデオデータに対応付けられた全てのスライド画像６が時系列に表示される。
【００２８】
ここで、各スライド画像６は該当する場面の時間長さに応じて大きくなるようにスライド画像表示部４１に表示される。例えば、図２（ａ）に示すように、他に較べて場面の長さが短いＣやＤのスライド画像６はスライド画像表示部４１において他のスライド画像より小さいサイズで表示される。このようなサイズ変換は、例えば、各スライド画像に場面長さに応じた情報を付加しておき、詳細表示の要求に応じて配信サーバ１において行ったり、閲覧クライアント２で行ったりすることができる。
なお、このような画像サイズに差を持たせて表示する態様は、場面の内容の変化の大きさに応じたり、作者の意図に応じたりと言ったように、場面の重要度に応じてサイズを設定するようにしてもよい。
【００２９】
図７は資料画像データ７の一覧画像表示を行った状態を示しており、レコードデータ表示部４２には当該コンテンツのメタデータの諸項目が表示され、資料画像表示部４３には当該コンテンツのビデオデータに対応付けられた全ての資料画像３０が時系列に表示されるとともに、各資料画像３０から抽出された「製品紹介…」などと言った当該画像に含まれている記述文字列３０ａが画像表示される。この文字列３０ａは資料画像データ７から必要に応じて文字認識処理などで抽出されたテキストデータからなっており、上記のように資料画像３０をキーワード検索する際に照合される。
【００３０】
また、一覧表示画面のレコード表示部４２には、キーワード入力部４４と、入力されたキーワードによって文字列３０ａの検索処理を開始させる検索ボタン４５が設けられており、このインタフェースによっても資料画像のキーワード検索を行うことができる。すなわち、ユーザがキーワード入力部４４に所望のキーワードを入力して検索ボタン４５を押下操作することにより、閲覧クライアント２に設けられた検索機能が起動して、入力されたキーワード文字列を文字列３０ａに含む資料画像３０が検索され、図４に示すように、検索結果として表示される。
【００３１】
ここで、一覧表示する資料画像は、図８や図９に例示するように表示のサイズを変更するようにしてもよい。このサイズ変換は、例えば、各資料画像に基準値に応じた情報を付加しておき、詳細表示の要求に応じて閲覧クライアント２の変換機能によって行い、一覧表示するようにすればよい。また、閲覧クライアント２で行う代わりに配信サーバー１の変換機能によって行ってもよい。さらに、詳細表示の要求に応じて変換を行う代わりに、あらかじめ変換したデータを用意しておき、それを用いるようにしてもよい。
必要に応じた種々な基準を設定することが可能であるが、例えば、対応付けたビデオデータ中の場面の長さに応じてサイズを大きくする基準を採用した場合には、図８に示すように、他の資料画像（ａやｃ）に較べて場面の長さが長い資料画像（ｂ）は、これら他の資料画像より大きなサイズで表示して、ビデオ撮影された講義などで長時間に亘って使用された重要度の高い資料であることを視覚的に判るようにするようにしてもよい。
【００３２】
また、図１０に示すように、資料画像３０には別途用意した矢印７８や注釈７９の画像が付加されているものもあり、同図（ａ）〜（ｃ）に順を追って示すように、ビデオデータの再生に伴って資料画像３０に矢印７８と注釈７９の画像が順次追加されて表示されるものもある。
図９に示すように、このような付加画像７８、７９を有した資料画像（ａ）は、付加画像を有しない資料画像（ｂやｃ）に較べて大きなサイズで表示して、ビデオ撮影された講義などで特別に参照された重要度の高い資料であることを視覚的に判るようにしてもよい。
【００３３】
図６〜図９に示すように一覧画像表示されたスライド画像や資料画像３０に対して、上記のようにユーザがいずれかの画像をポインティング指示で選択することによって、ビデオプレイヤ３５が画面表示されて、ビデオデータ５を当該選択されたスライド画像データ６や資料画像のデータ７が対応付けられている時間位置から再生して画面表示させる機能を閲覧クライアント２は有しており、これによって、スライド画像や資料画像に基づいビデオデータを頭出し再生することができる。
【００３４】
次に、本例におけるビデオデータ５と画像データ等を対応付けて配信サーバ１に登録する処理を説明する。
図１１に示すように、配置サーバ１には配置登録した各コンテンツのレコードを記憶管理するデータベース５０と、各コンテンツデータの実体を格納する複数の配置先セット５１が設けられている。
データベース５０は各コンテンツデータのメタデータ、配置先ファイルパス、配置先ＵＲＬなどを含むコンテンツ用レコード５２と共に当該コンテンツデータが配置登録されている配置先セットを特定する番号５３を記憶管理しており、当該データベース５０を参照することにより、配信可能に各コンテンツデータを配置先セット５１内のフォルダに配置登録し、また、閲覧クライアント２から要求された該当するコンテンツデータを配信することができる。
【００３５】
配置先セット５１はそれぞれが１又は複数のコンテンツデータを格納する記憶領域であり、これら配置先セット５１の集合として配置サーバ１のコンテンツデータ記憶領域が構成されている。
図示の例では、各配置先セット５１には、ビデオデータを格納するビデオデータフォルダ５４、ビデオデータの再生時間位置に対応付けされた静止画像データを格納するための画像データフォルダ５５、音声インデックスデータを格納するための音声インデックスフォルダ５６が設けられており、同じコンテンツのデータは同じ配置先セット５１となるように、これらフォルダ５４〜５６内に各コンテンツの対応するデータが登録格納される。
【００３６】
各配置先セット５１へのコンテンツデータの配置登録は、オペレータ操作に従って登録クライアント３が有するコンテンツ作成ツール６０によって行われる。
コンテンツ作成ツール６０は、ＭＰＥＧなどの形式のビデオデータを配信用のストリーム形式のビデオデータに変換する処理、変換したビデオデータを登録する処理、ビデオデータ５にスライド画像データ６を対応付けて登録する処理、後述するようにビデオデータ５に資料画像データ７を対応付けて登録する処理、ビデオデータ５に音声インデックスデータを対応付けて登録する処理などを行う。
【００３７】
コンテンツデータ（ビデオデータ、画像データ、音声インデックスデータ）の配置登録処理は、登録するコンテンツデータを登録クライアント３に入力して対応付けなどの必要な処理を行い、登録クライアント３を配信サーバ１に接続することにより開始される。
そして、登録クライアント３はデータベース５０からセットレコード６２を参照して、アーカイブファイルのコンテンツデータの配置先セット番号、各メディアデータのファイルパス、各メディアデータのＵＲＬを設定し、コンテンツデータを配信サーバ１に送信して登録する。
【００３８】
また、この際に、上記のようにオペレータが入力したメタデータもコンテンツレコード５２に設定され、コンテンツレコード５２とセットレコード６２とが配置先セット番号で対応付けられる。
このようにして登録配置されたコンテンツデータは、閲覧クライアント２からの要求に応じてデータベース５０を参照することにより配信サーバ１から提供される。
【００３９】
次に、上記登録クライアント３によるビデオデータ５と資料画像データ７との対応付け処理について説明する。
図１２には登録クライアント３の画面に表示される対応付け処理用のインタフェースを示してあり、上記の登録処理の前処理としてビデオデータ５の任意の時間位置にオペレータが資料画像データ７を対応付けるために用いられる。
【００４０】
対応付け処理は、登録クライアント３にビデオデータファイルと資料画像データファイルとを読み込み、対応付け処理用のインタフェースを画面表示してオペレータの操作に応じて行われる。
このインタフェース画面は、ビデオデータ５を再生したビデオ画像を表示するビデオ画面８０及び再生や停止などの操作ボタンが配置されたビデオ操作部８１を有したビデオプレイヤ部８２と、資料画像データ７を再生した資料画像を表示する画像画面８３及びコマ送り操作ボタンや決定ボタンが配置された操作部８４を有した静止画像データを再生表示する画像表示部８５、読み込んだ資料画像データファイルに含まれる複数の資料画像３０のサムネイルを表示する一覧表示部８６、対応付け操作によって得られる対応付け関係情報を表示するスクリプト表示画面部８７を同一画面上に含んでいる。
【００４１】
このインターフェース画面では、オペレータがポインティング入力で操作することによって、操作部８４のコマ送り操作ボタンで一覧表示部８６に表示された資料画像３０の内の任意の画像を画像画面８３に拡大表示してその詳細を確認することができ、また、ビデオ操作部８１の操作ボタンでビデオデータを再生させてビデオ画面８０にビデオ画像を表示させることができる。そして、ビデオデータの再生中に、操作部８４の決定ボタンをオペレータがポインティング入力で押下すると、ビデオデータの当該再生時間位置に画像画面８３に表示した資料画像データを対応付けることができる。
したがって、上記対応付け関係情報をに基づいて、上記したように資料画像から対応するビデオ画像の場面を頭出しして再生することができる。
【００４２】
なお、閲覧クライアント２が配信サーバ１からデータの配信を受けて再生するシステムを例にとって説明したが、本発明は、例えば、ビデオデータとこれに対応付けられた資料画像データを保持したスタンドアローン型のシステム構成としてもよく、このような構成とする場合には、該当する資料画像データを自らのシステム内で検索して、上記と同様な態様での表示、ビデオデータの選定や頭出し再生を行うことができる。
【００４３】
【発明の効果】
以上説明したように、本発明によると、ビデオデータに対応付けられた静止画像データに含まれている文字列を利用してキーワード検索を行うようにしたため、所望の資料などの画像を容易に見付け出すことができ、また、当該検索された画像に対応するビデオデータ中の場面を容易に頭出しすることが可能となる。
【図面の簡単な説明】
【図１】本発明の一実施例に係るシステム構成図である。
【図２】本発明の一実施例に係るビデオデータと画像データとの関係を説明する図である。
【図３】本発明の一実施例に係る閲覧クライアントの画面表示を示す図である。
【図４】本発明の一実施例に係る閲覧クライアントの画面表示を示す図である。
【図５】本発明の一実施例に係る閲覧クライアントの画面表示を示す図である。
【図６】本発明の一実施例に係る閲覧クライアントの画面表示を示す図である。
【図７】本発明の一実施例に係る閲覧クライアントの画面表示を示す図である。
【図８】本発明の一実施例に係る閲覧クライアントの画面表示の他の態様を示す図である。
【図９】本発明の一実施例に係る閲覧クライアントの画面表示の他の態様を示す図である。
【図１０】本発明の一例に係る資料画像の表示態様を説明する図である。
【図１１】本発明の一実施例に係る配信サーバを説明する図である。
【図１２】本発明の一実施例に係る登録クライアントの画面表示を示す図である。
【符号の説明】
１：配信サーバ、　２：閲覧クライアント、
３：登録クライアント、　５：ビデオデータ、
６，７：静止画像データ、　１４、４４：キーワード入力部、
１５、４５：検索開始ボタン、　３０：資料画像、
３０ａ：文字列、　３３、７０：ビデオ画面、
３５：ビデオプレイヤ、　３７：画像表示部、
６０：コンテンツ作成ツール、　７８：矢印画像、
７９：注釈画像、
【図１】
2004112379.tif 000003
【図２】
2004112379.tif 000004
【図３】
2004112379.tif 000005
【図４】
2004112379.tif 000006
【図５】
2004112379.tif 000007
【図６】
2004112379.tif 000008
【図７】
2004112379.tif 000009
【図８】
2004112379.tif 000010
【図９】
2004112379.tif 000011
【図１０】
2004112379.tif 000012
【図１１】
2004112379.tif 000013
【図１２】
2004112379.tif 000014